(57)【要約】【課題】  簡単に装着できるとともに、使用者の要求に応じた特定箇所のマッサージができる頭部のマッサージ具を提供する。【解決手段】  使用者の頭部を覆う伏椀状の帽子本体に支持される、又は、帽子本体と頭部とに挟持されるとともに、使用者が頭部に装着したときに、頭部側に向かって突出する突起を備える基材と、前記基材の前記突起を備える面の反対側の面に着脱自在に支持される振動子とを備えることを構成とする。  上記構成によれば、使用者が頭部に帽子本体をかぶるだけで、上記突起が頭部に接触させることができる。この状態で、振動子の振動を開始させると、突起を介して頭部に振動が伝わり、マッサージを行うことができる。【選択図】  図１
2005312492.tif 000002
【特許請求の範囲】
【請求項１】
頭部に装着する頭部マッサージ具において、
頭部側に向かって突出する突起を備える基材と、
前記基材の前記突起を備える面の反対側の面に着脱自在に支持される振動子と、
を備えることを特徴とする頭部マッサージ具。
【請求項２】
前記基材が頭部を被覆する帽子本体に支持される請求項１に記載の頭部マッサージ具。
【請求項３】
前記帽子本体が外層と内層とを有し、前記基材が、前記外層と内層との間に形成される袋内に格納されることで前記帽子本体に支持される請求項２に記載の頭部マッサージ具。
【請求項４】
前記基材が、放射状に設けられた柔軟性を有した複数の扇状シートである請求項１または３に記載の頭部マッサージ具。                                                                                  
【発明の詳細な説明】
【技術分野】
【０００１】
本発明は、頭部のマッサージを行う頭部マッサージ具に関する。
【背景技術】
【０００２】
この種のマッサージ具として、後掲の特許文献１に、硬質素材で形成したヘルメット状の本体の中央部分に、電池によって振動するバイブレータを内蔵させ、前記本体の内側に、軟質素材で形成した無数の突起棒を植立させた基盤をはめ込み式の止め具によって装着し、かつ、この基盤と本体との間隙に弾力性のある充填材を詰めた構成を有するマッサージ具が開示されている。
【特許文献１】特開平１０−２９５７６７号公報
【発明の開示】
【発明が解決しようとする課題】
【０００３】
しかしながら、上記マッサージ具は、使用者が頭部に鉢巻状のヘアバンドを装着し、このヘアバンドと本体とをゴム製の連結紐で接続することで使用者の頭部に固定するようにしているが、装着に手間がかかり面倒である。
【０００４】
また、上記マッサージ具は、硬質素材で形成された本体全体をバイブレータで振動させる構成であるため、上記本体のサイズが使用者の頭部のサイズと合致していないと、本体と頭部の間に隙間ができてしまい、バイブレータの振動を頭部に伝えることができない。
【０００５】
加えて、装着時には、常に同一の箇所が振動するため、使用者が特定の部位を集中的にマッサージを行いたい場合であっても、その要望にこたえることは不可能である。
【０００６】
本発明は、上記従来の事情に基づいて提案されたものであって、簡単に装着できるとともに、使用者の要求に応じた特定箇所のマッサージができる頭部のマッサージ具を提供することを目的とする。
【課題を解決するための手段】
【０００７】
本発明は、上記目的を達成するために以下の手段を採用している。すなわち、本発明は、頭部に装着する頭部マッサージ具において、頭部側に向かって突出する突起を備える基材と、前記基材の前記突起を備える面の反対側の面に着脱自在に支持される振動子とを備える構成としている。
【０００８】
上記構成によれば、使用者は、上記突起を頭部側に向けて上記基材を頭部に配置し、帽子等をかぶるだけで頭部に装着することができる。この状態で、振動子に振動を開始させると、上記突起を介して頭部に振動が伝わり、マッサージを行うことができる。また、上記振動子は、上記基材に着脱自在であるため、任意の位置に取り付けることにより、使用者は所望の位置をマッサージすることができる。なお、上記突起は、頭部に適度な刺激を与えるため先端に曲面を備える尖状体であることが好ましい。
【０００９】
また、前記基材が、使用者の頭部を覆う帽子本体に支持される構成とすれば、使用者は頭部に帽子本体をかぶるだけでマッサージ具を装着することができ、装着がより容易となる。
【００１０】
また、上記帽子本体が外層と内層とを有し、上記基材が、前記外層と内層との間に形成される袋内に格納されることで帽子本体に支持される構成とすれば、帽子本体に支持するための支持具が不要となる。さらに、上記基材が、放射状に設けられた複数の柔軟性を有したシートであると、異なるサイズの帽子本体に対しても共通の基材を使用することができ経済的である。
【発明の効果】
【００１１】
本発明によれば、簡単な動作で頭部に装着することができるとともに、使用者が任意の位置に振動子を装着できるので、使用者は所望の位置をマッサージすることができる。これにより、マッサージ部位の血行を促進することができ、疲労回復、リラックス、癒し等の効果を得ることができる。
【発明を実施するための最良の形態】
【００１２】
以下、本発明の一実施の形態を図面にしたがって詳細に説明する。図１は、本実施の形態にかかる頭部マッサージ具の概略斜視図であり、図２は、図１の断面図である。また、図３は基材の平面図であり、図４は、基材の背面図である。
【００１３】
図１に示すように、本実施の形態にかかるマッサージ具は、伏椀状の帽子本体１と、帽子本体１に支持される基材２を備える。
【００１４】
図２に示すように、帽子本体１の頭部を覆う伏椀状の部分は、外層３と内層４からなり、外層３と内層４の外縁部を縫合等により接合することで、外層３と内層４との間に空間５が設けられた袋状の構造を有している。なお、帽子本体１の材質は、特に限定されるものではないが、例えば、伸縮性のある纖維からなる布等を使用することができる。
【００１５】
図１及び図２に示すように、外層３の上部には、例えば、ファスナ等の開閉部材６が設けられ、当該開閉部材６を開くことで、上記空間５を帽子本体１の外部に開放することができる。当該開閉部材６は、上記空間５を帽子本体１の外部に開放できる位置であれば、任意の位置に設けることが可能であるが、内層４に設けた場合は、使用者が頭部に帽子本体１を装着したときに、頭部に異物があたり良好な装着感が得られなくなるため、外層３に設けることが好ましい。
【００１６】
上記空間５には、図３及び図４に示す基材２が配置される。基材２は、放射状に配置された複数の扇状シートが中央部で連結された構造になっている。すなわち、帽子本体１の空間５に配置されていない状態では、基材２は平面状のシートとなっており、空間５内に配置された場合は、基材２は帽子本体１の伏椀形状に略合致する伏椀状の形状となる。なお、基材２の材質には、例えば、シリコンゴム等の柔軟性及び弾力性を備える材質を使用することが好ましい。
【００１７】
上記基材２を空間５内に配置したときに頭部側となる面には、図２及び図４に示すように、頭部側に突出する複数の突起７が設けられる。当該突起７は、例えば、シリコンゴムを上記形状のシートに成型する際、一方の面に上記突起７を形成する凹部を備えた型枠を用いることで容易に形成することができる。このような突起７の大きさは特に限定するものではないが、本実施の形態では、直径及び高さが５ｍｍ程度とし、頭部に適度な刺激を与えるために、先端に曲面を備える尖状体としている。
【００１８】
一方、図３に示すように、基材２の上記突起７を有する面と反対側の面には、例えば、マジックテープ（登録商標）等の面ファスナ９が設けられる。当該面ファスナ９の配設面には、図５に示す前記面ファスナ９に着脱可能な面ファスナ９を一面に備える１又は２以上の振動子８が着脱自在に設けられる。
【００１９】
上記振動子８は、例えば、ボタン型のケース内で、ケースの厚み方向（頭部表面に対して略垂直）の回転軸を中心にして、重心を偏らせた回転子を回転させて振動を発生する構造を有する偏心振動モータ等の低背の振動素子を使用することが好ましい。なお、当該振動子８に電力を供給する電源１０は電池、外部電源のどちらを用いても良いが、頭部に帽子本体１を装着した後に、使用者が振動子８の振動のオン・オフができるようにスイッチ１１を使用者が操作可能な位置に設けることが好ましい。このとき、電源１０及びスイッチ１１と振動子８とを接続する配線１２には、適宜、上記面ファスナ９を設け、基材２の振動子８が配設されていない基材２上の位置に固定する構成とすればよい（図１）。また、配線１２には、適宜コネクタ等を設け、振動子８の設置数に応じてスイッチ１１と振動子８との間の接続を変更できるようにしてもよい。
【００２０】
さて、使用者は、上記基材２の所望の位置に上記振動子８を適宜配置する。このとき、振動子８は面ファスナ９で基材２に固定する構成であるため、使用者がマッサージを行いたい位置に任意に振動子８を配置することができる。
【００２１】
振動子８を配置した後、使用者は上記開閉部材６を介して、基材２を帽子本体１の空間５内に配置し、開閉部材６を閉じる。このとき、基材２は帽子本体１の外縁部、すなわち、外層３と内層４との接合部に支持されることが好ましいが、帽子本体１の外層３の頭頂部付近と当該位置に対応する基材２の位置に、互いに嵌合するフック等の固定具を設けておき、基材２を帽子本体１に固定する構成としてもよい。
【００２２】
上述のようにして、基材２を帽子本体１内に配置した後、使用者は、帽子本体１を頭部にかぶることで装着する。
【００２３】
そして、スイッチ１１をオンして振動子８に電力を供給し、振動を開始させると、当該振動は基材２の突起７及び内層４を介して頭部に伝わる。これにより、使用者は頭部をマッサージすることができる。また、マッサージ部位の血行を促進することができ、疲労回復、リラックス、癒し等の効果を得ることができる。
【００２４】
また、上述のように、振動子８は基材２の任意の位置に配置することができるため、使用者が所望の位置をマッサージすることができる。
【００２５】
さらに、上記構成によれば、異なるサイズの帽子本体１に対しても共通の基材２を使用することができ経済的である。
【００２６】
なお、上記では、基材２の形状を放射状に設けた複数の扇状シートとしたが、これに限るものではなく、帽子本体１の伏椀状部分の形状に合致する形状に変形可能な任意の形状を採用することができる。また、汎用性を損なうことにはなるが、上記基材２が伏椀状に成形されていてもよい。
【００２７】
さらに、基材２を帽子本体１に支持する構造も上記構造に限るものではなく、例えば、帽子本体１の伏椀状部分の内面に面ファスナ等により支持する構成を採用し、突起７が頭部に直接接触する構造であってもよい。また、基材２を帽子本体１に支持させることも必須の構成ではなく、例えば、使用者が、上記基材２を頭部に配置して帽子をかぶることで、頭部と帽子本体１との間に基材２を挟持する構成としても上述の効果を得ることは可能である。
【００２８】
加えて、上記基材２を、例えば、適当なサイズの円形や矩形等の形状の小シートとして構成し、上記帽子本体１の伏椀状部分の内面の所望の位置に、１または２以上の小シートを面ファスナ等により支持する構成を採用しても、上述の効果を得ることができる。
【産業上の利用可能性】
【００２９】
本発明は、容易に装着できるとともに、使用者が所望の位置をマッサージできるという効果を有し、頭部のマッサージ具として有用である。
【図面の簡単な説明】
【００３０】
【図１】本発明の斜視図。
【図２】本発明の断面図。
【図３】本発明の基材の平面図。
【図４】本発明の基材の背面図。
【図５】本発明の振動子の平面図
【符号の説明】
【００３１】
１  帽子本体
２  基材
６  開閉部材
８  振動子
１０  電源
１１  スイッチ
１２  配線
【図１】
2005312492.tif 000003
【図２】
2005312492.tif 000004
【図３】
2005312492.tif 000005
【図４】
2005312492.tif 000006
【図５】
2005312492.tif 000007